(57)【要約】【課題】より適切な方法で造形物の造形を行う。【解決手段】造形物５０を造形する造形装置１０であって、吐出ヘッドであるインクジェットヘッド１０２と、走査駆動部１６と、モード設定部１８とを備え、走査駆動部１６は、主走査動作と、副走査動作とをインクジェットヘッド１０２に行わせ、かつ、小ピッチパス方式により、主走査動作及び副走査動作をインクジェットヘッド１０２に行わせ、一つの層の形成時に同じ位置に対してパス数分の主走査動作を行う間に行う副走査動作をパス間副走査動作と定義した場合、モード設定部１８は、パス間副走査動作での副走査送り量を第１の条件で設定する第１モードと、パス間副走査動作での副走査送り量を第２の条件で設定する第２モードとを設定可能であり、第２の条件は、パス間副走査動作での副走査送り量が第１の条件よりも大きくなる条件である。【選択図】図１
2020082377.tif 000002
【特許請求の範囲】
【請求項１】
予め設定された積層方向へ複数の層を積層することで立体的な造形物を造形する造形装置であって、
造形の材料を吐出する複数のノズルを有する吐出ヘッドと、
造形中の前記造形物に対して相対的に移動する走査動作を前記吐出ヘッドに行わせる走査駆動部と、
造形の動作モードを設定するモード設定部と
を備え、
前記走査駆動部は、前記走査動作として、
前記材料を吐出しつつ前記積層方向と直交する主走査方向へ前記造形中の造形物に対して相対的に移動する主走査動作と、
前記積層方向及び前記主走査方向と直交する副走査方向へ前記造形中の造形物に対して相対的に移動する副走査動作と
を前記吐出ヘッドに行わせ、
かつ、一つの前記層を形成する動作において、前記層の各位置に対して複数回の前記主走査動作が行われるように、前記主走査動作及び前記副走査動作を前記吐出ヘッドに行わせ、
前記吐出ヘッドにおいて前記複数のノズルが並ぶ範囲の前記副走査方向における幅をノズル列長Ｌとし、前記層の各位置に対して行う前記複数回の主走査動作の回数であるパス数をＮ回（Ｎは、２以上の整数）とし、前記副走査動作において前記造形中の造形物に対して相対的に前記吐出ヘッドを移動させる距離を副走査送り量と定義した場合、一つの前記層の形成時に当該層の少なくとも一部における同じ位置に対して前記Ｎ回分の主走査動作を行う間に行う前記副走査動作であるパス間副走査動作において、前記走査駆動部は、前記ノズル列長Ｌを前記パス数である前記Ｎで除した距離Ｌ／Ｎよりも前記副走査送り量を小さくして、前記吐出ヘッドに前記副走査動作を行わせ、
前記モード設定部は、前記動作モードとして、少なくとも、
前記パス間副走査動作での前記副走査送り量を第１の条件で設定する第１モードと、
前記パス間副走査動作での前記副走査送り量を第２の条件で設定する第２モードと
を設定可能であり、
前記第２の条件は、前記パス間副走査動作での前記副走査送り量が前記第１の条件よりも大きくなる条件であることを特徴とする造形装置。
【請求項２】
前記第２モードは、前記第１モードよりも高精細な条件で前記造形物の造形を行うモードであることを特徴とする請求項１に記載の造形装置。
【請求項３】
前記第１モードでの前記副走査方向における造形の解像度に対応するドット間距離をｘ１とし、前記第１モードでの前記パス間副走査動作における前記副走査送り量をｆ１とし、
前記第２モードでの前記副走査方向における造形の解像度に対応するドット間距離をｘ２とし、前記第２モードでの前記パス間副走査動作における前記副走査送り量をｆ２とした場合、
ｆ２／ｘ２＞ｆ１／ｘ１
となることを特徴とする請求項１又は２に記載の造形装置。
【請求項４】
ｆ２／Ｘ２≧１０であり、
ｆ１／Ｘ１≦５であることを特徴とする請求項３に記載の造形装置。
【請求項５】
少なくともいずれかの前記造形モードで前記造形物を造形する場合において、前記走査駆動部は、一部の前記層の形成時における前記パス間副走査動作での前記副走査送り量を他の前記層の形成時における前記パス間副走査動作での前記副走査送り量と異ならせることを特徴とする請求項１から４のいずれかに記載の造形装置。
【請求項６】
前記走査駆動部は、前記積層方向の下側からＭ番目（Ｍは、１以上の整数）までの前記層の形成時における前記パス間副走査動作での前記副走査送り量を、Ｍ＋１層目以降の前記層の形成時における前記パス間副走査動作での前記副走査送り量よりも大きくすることを特徴とする請求項５に記載の造形装置。
【請求項７】
少なくともいずれかの前記造形モードで前記造形物を造形する場合において、前記走査駆動部は、予め設定された数の前記層が形成される毎に、前記パス間副走査動作での前記副走査送り量を変化させることを特徴とする請求項１から６のいずれかに記載の造形装置。
【請求項８】
前記副走査方向における幅が前記ノズル列長Ｌよりも大きな前記層を形成する場合、前記走査駆動部は、前記層における同じ位置に対して前記パス数である前記Ｎ回分の前記主走査動作を前記吐出ヘッドに行わせる毎に、前記副走査送り量を前記ノズル列長Ｌに対応する距離に設定した前記副走査動作を前記吐出ヘッドに行わせることを特徴とする請求項１から７のいずれかに記載の造形装置。
【請求項９】
前記副走査方向における幅が前記ノズル列長Ｌよりも大きな前記層を形成する場合、前記走査駆動部は、前記ノズル列長Ｌに対応する距離に設定した前記副走査動作の前の前記副走査方向における前記吐出ヘッドの位置と、当該副走査動作の後の前記副走査方向における前記吐出ヘッドの位置との境界となる位置であるつなぎ位置について、予め設定された数の前記層が形成される毎に変化させることを特徴とする請求項８に記載の造形装置。
【請求項１０】
予め設定された積層方向へ複数の層を積層することで立体的な造形物を造形する造形方法であって、
モード設定部により、造形の動作モードを設定して、
造形の材料を吐出する複数のノズルを有する吐出ヘッドに、
造形中の前記造形物に対して相対的に移動する走査動作を行わせ、
前記走査動作として、
前記材料を吐出しつつ前記積層方向と直交する主走査方向へ前記造形中の造形物に対して相対的に移動する主走査動作と、
前記積層方向及び前記主走査方向と直交する副走査方向へ前記造形中の造形物に対して相対的に移動する副走査動作と
を前記吐出ヘッドに行わせ、
かつ、一つの前記層を形成する動作において、前記層の各位置に対して複数回の前記主走査動作が行われるように、前記主走査動作及び前記副走査動作を前記吐出ヘッドに行わせ、
前記吐出ヘッドにおいて前記複数のノズルが並ぶ範囲の前記副走査方向における幅をノズル列長Ｌとし、前記層の各位置に対して行う前記複数回の主走査動作の回数であるパス数をＮ回（Ｎは、２以上の整数）とし、前記副走査動作において前記造形中の造形物に対して相対的に前記吐出ヘッドを移動させる距離を副走査送り量と定義した場合、一つの前記層の形成時に当該層の少なくとも一部における同じ位置に対して前記Ｎ回分の主走査動作を行う間に行う前記副走査動作であるパス間副走査動作において、前記ノズル列長Ｌを前記パス数である前記Ｎで除した距離Ｌ／Ｎよりも前記副走査送り量を小さくして、前記吐出ヘッドに前記副走査動作を行わせ、
前記モード設定部は、前記動作モードとして、少なくとも、
前記パス間副走査動作での前記副走査送り量を第１の条件で設定する第１モードと、
前記パス間副走査動作での前記副走査送り量を第２の条件で設定する第２モードと
を設定可能であり、
前記第２の条件は、前記パス間副走査動作での前記副走査送り量が前記第１の条件よりも大きくなる条件であることを特徴とする造形方法。
【請求項１１】
予め設定された積層方向へ複数の層を積層することで立体的な造形物を造形する造形装置であって、
造形の材料を吐出する複数のノズルを有する吐出ヘッドと、
造形中の前記造形物に対して相対的に移動する走査動作を前記吐出ヘッドに行わせる走査駆動部と
を備え、
前記走査駆動部は、前記走査動作として、
前記材料を吐出しつつ前記積層方向と直交する主走査方向へ前記造形中の造形物に対して相対的に移動する主走査動作と、
前記積層方向及び前記主走査方向と直交する副走査方向へ前記造形中の造形物に対して相対的に移動する副走査動作と
を前記吐出ヘッドに行わせ、
かつ、一つの前記層を形成する動作において、前記層の各位置に対して複数回の前記主走査動作が行われるように、前記主走査動作及び前記副走査動作を前記吐出ヘッドに行わせ、
前記吐出ヘッドにおいて前記複数のノズルが並ぶ範囲の前記副走査方向における幅をノズル列長Ｌとし、前記層の各位置に対して行う前記複数回の主走査動作の回数であるパス数をＮ回（Ｎは、２以上の整数）とし、前記副走査動作において前記造形中の造形物に対して相対的に前記吐出ヘッドを移動させる距離を副走査送り量と定義した場合、一つの前記層の形成時に当該層の少なくとも一部における同じ位置に対して前記Ｎ回分の主走査動作を行う間に行う前記副走査動作であるパス間副走査動作において、前記走査駆動部は、前記ノズル列長Ｌを前記パス数である前記Ｎで除した距離Ｌ／Ｎよりも前記副走査送り量を小さくして、前記吐出ヘッドに前記副走査動作を行わせ、
前記走査駆動部は、予め設定された数の前記層が形成される毎に、前記パス間副走査動作での前記副走査送り量を変化させることを特徴とする造形装置。
【請求項１２】
予め設定された積層方向へ複数の層を積層することで立体的な造形物を造形する造形方法であって、
造形の材料を吐出する複数のノズルを有する吐出ヘッドに、
造形中の前記造形物に対して相対的に移動する走査動作を行わせ、
前記走査動作として、
前記材料を吐出しつつ前記積層方向と直交する主走査方向へ前記造形中の造形物に対して相対的に移動する主走査動作と、
前記積層方向及び前記主走査方向と直交する副走査方向へ前記造形中の造形物に対して相対的に移動する副走査動作と
を前記吐出ヘッドに行わせ、
かつ、一つの前記層を形成する動作において、前記層の各位置に対して複数回の前記主走査動作が行われるように、前記主走査動作及び前記副走査動作を前記吐出ヘッドに行わせ、
前記吐出ヘッドにおいて前記複数のノズルが並ぶ範囲の前記副走査方向における幅をノズル列長Ｌとし、前記層の各位置に対して行う前記複数回の主走査動作の回数であるパス数をＮ回（Ｎは、２以上の整数）とし、前記副走査動作において前記造形中の造形物に対して相対的に前記吐出ヘッドを移動させる距離を副走査送り量と定義した場合、一つの前記層の形成時に当該層の少なくとも一部における同じ位置に対して前記Ｎ回分の主走査動作を行う間に行う前記副走査動作であるパス間副走査動作において、前記ノズル列長Ｌを前記パス数である前記Ｎで除した距離Ｌ／Ｎよりも前記副走査送り量を小さくして、前記吐出ヘッドに前記副走査動作を行わせ、
予め設定された数の前記層が形成される毎に、前記パス間副走査動作での前記副走査送り量を変化させることを特徴とする造形方法。
【発明の詳細な説明】
【技術分野】
【０００１】
本発明は、造形装置及び造形方法に関する。
【背景技術】
【０００２】
従来、インクジェットヘッドを用いて造形物を造形する造形装置（３Ｄプリンタ）が知られている。このような造形装置においては、例えば、インクジェットヘッドにより形成するインクの層を複数層重ねることにより、積層造形法で造形物を造形する。また、造形物を構成する各層を形成する方法として、従来、小ピッチパス方式でインクの層を形成する方法が知られている（例えば、特許文献１参照。）。
【先行技術文献】
【特許文献】
【０００３】
【特許文献１】特開２０１７−１３３５２号公報
【発明の概要】
【発明が解決しようとする課題】
【０００４】
小ピッチパス方式で造形物の造形を行う場合、それぞれのインクの層の形成時に行う主走査動作の回数を少なくすることで、造形物の造形に要する時間を短縮することができる。しかし、近年、造形装置の広がり等により、造形物の品質や納期等に関する要求も多様化している。そのため、従来、より適切な方法で造形物の造形を行うことが望まれていた。そこで、本発明は、上記の課題を解決できる造形装置及び造形方法を提供することを目的とする。
【課題を解決するための手段】
【０００５】
小ピッチパス方式で造形物の造形を行う場合、各層の同じ位置に対して複数回の主走査動作を行うマルチパス方式でそれぞれのインクの層を形成することになる。また、この場合、主走査動作時におけるインクジェットヘッドの移動方向である主走査方向と直交する副走査方向におけるインクジェットヘッドの位置については、所定のパス数分の主走査動作が行われている間は各回の主走査動作が行われる毎（パス毎）に小ピッチでの副走査動作を行い、所定のパス数分の主走査動作を終える毎に、上記の小ピッチよりも大きいインクジェットヘッドの幅に相当する距離分の副走査動作を行うことになる。そして、この場合、形成されるインクの層において、インクジェットヘッドの幅に相当する距離分の移動の影響により、移動の前後の境界となるつなぎ位置が目立ちやすくなる場合がある。
【０００６】
これに対し、本願の発明者は、造形物を構成する各層の形成を小ピッチパス方式で行う場合において、パス数分の主走査動作が行われる間にもある程度の距離だけ副走査方向におけるインクジェットヘッドの位置を変化させることで、つなぎ位置を目立ちにくくできることを見出した。また、本願の発明者は、更なる鋭意研究により、パス数分の主走査動作が行われる間に副走査方向へインクジェットヘッドを移動させる距離を単に大きくするのではなく、複数の動作モードの設定を可能にして、動作モードによってこのような距離の設定を異ならせることを考えた。このように構成すれば、例えば、造形に求められる品質等に応じて動作モードを選択することで、より適切に造形物の造形を行うことができる。
【０００７】
また、本願の発明者は、更に、このような効果を得るために必要な特徴を見出し、本発明に至った。上記の課題を解決するために、本発明は、予め設定された積層方向へ複数の層を積層することで立体的な造形物を造形する造形装置であって、造形の材料を吐出する複数のノズルを有する吐出ヘッドと、造形中の前記造形物に対して相対的に移動する走査動作を前記吐出ヘッドに行わせる走査駆動部と、造形の動作モードを設定するモード設定部とを備え、前記走査駆動部は、前記走査動作として、前記材料を吐出しつつ前記積層方向と直交する主走査方向へ前記造形中の造形物に対して相対的に移動する主走査動作と、前記積層方向及び前記主走査方向と直交する副走査方向へ前記造形中の造形物に対して相対的に移動する副走査動作とを前記吐出ヘッドに行わせ、かつ、一つの前記層を形成する動作において、前記層の各位置に対して複数回の前記主走査動作が行われるように、前記主走査動作及び前記副走査動作を前記吐出ヘッドに行わせ、前記吐出ヘッドにおいて前記複数のノズルが並ぶ範囲の前記副走査方向における幅をノズル列長Ｌとし、前記層の各位置に対して行う前記複数回の主走査動作の回数であるパス数をＮ回（Ｎは、２以上の整数）とし、前記副走査動作において前記造形中の造形物に対して相対的に前記吐出ヘッドを移動させる距離を副走査送り量と定義した場合、一つの前記層の形成時に当該層の少なくとも一部における同じ位置に対して前記Ｎ回分の主走査動作を行う間に行う前記副走査動作であるパス間副走査動作において、前記走査駆動部は、前記ノズル列長Ｌを前記パス数である前記Ｎで除した距離Ｌ／Ｎよりも前記副走査送り量を小さくして、前記吐出ヘッドに前記副走査動作を行わせ、前記モード設定部は、前記動作モードとして、少なくとも、前記パス間副走査動作での前記副走査送り量を第１の条件で設定する第１モードと、前記パス間副走査動作での前記副走査送り量を第２の条件で設定する第２モードとを設定可能であり、前記第２の条件は、前記パス間副走査動作での前記副走査送り量が前記第１の条件よりも大きくなる条件である。
【０００８】
このように構成した場合、副走査送り量を距離Ｌ／Ｎよりも小さくすることで、例えば、小ピッチパス方式での造形の動作を適切に行うことができる。また、これにより、例えば、それぞれの層の形成時に行う主走査動作の回数を低減して、造形に要する時間を適切に短縮することができる。また、この場合において、上記のような第１モード及び第２モードを設定可能にすることで、パス間副走査動作での副走査送り量を動作モードによって異ならせることができる。また、これにより、例えば、造形に求められる品質等に応じた造形の動作で造形物の造形を行うことができる。そのため、このように構成すれば、例えば、より適切な方法で造形物の造形を行うことができる。
【０００９】
ここで、この構成において、造形装置は、例えば、造形物における互いに異なる位置の断面を示すスライスデータに基づき、造形物の造形を行う。この場合、一つの層を形成する動作とは、例えば、一つのスライスデータに基づいて造形の材料の層を形成する動作のことである。また、一つのスライスデータとは、例えば、積層方向における一つの位置での造形物の断面を示すデータのことである。
【００１０】
また、この構成において、第２モードは、例えば、第１モードよりも高精細な条件で造形物の造形を行うモードである。この場合、高精細な条件で造形物の造形を行うとは、例えば、より高い品質での造形を行うことである。また、第２モードにおいては、パス間副走査動作での副走査送り量を第１の条件よりも大きくすることで、造形に要する時間がより長くなると考えられる。そのため、第２モードについては、例えば、造形物の造形に要する時間が第１モードよりも長くなるモード等と考えることができる。
【００１１】
また、より具体的に、例えば、第１モードでの副走査方向における造形の解像度に対応するドット間距離をｘ１とし、第１モードでのパス間副走査動作における副走査送り量をｆ１とし、第２モードでの副走査方向における造形の解像度に対応するドット間距離をｘ２とし、第２モードでのパス間副走査動作における副走査送り量をｆ２とした場合、ｆ２／ｘ２＞ｆ１／ｘ１となるようにそれぞれの値を設定することが考えられる。このように構成すれば、例えば、第２モードにおいて、第１モードよりも高精細な条件での造形を適切に行うことができる。また、第１モードにおいて、例えば、第２モードよりも高速に造形の動作を行うことができる。
【００１２】
また、更に具体的に、ｆ１及びｘ１の値については、例えば、ｆ１／Ｘ１≦５となるように設定することが好ましい。このように構成すれば、例えば、高速な造形の動作をより適切に行うことができる。また、ｆ１／Ｘ１の値については、好ましくは２以下、更に好ましくは１以下である。また、造形装置の構成によっては、ｆ１の値について、例えば、０（ゼロ）にすること等も考えられる。また、ｆ２及びｘ２の値については、例えば、ｆ２／Ｘ２≧１０となるように設定することが好ましい。このように構成すれば、例えば、高精細な条件での造形を適切に行うことができる。また、より高精細な造形を行う場合、ｆ１／Ｘ１の値について、例えば２０以上にすること等も考えられる。
【００１３】
また、パス間副走査動作での副走査送り量については、一つの動作モードでの造形を行う中で、変更を行ってもよい。この場合、少なくともいずれかの造形モードで造形物を造形する場合において、走査駆動部は、例えば、一部の層の形成時におけるパス間副走査動作での副走査送り量を他の層の形成時におけるパス間副走査動作での副走査送り量と異ならせる。このように構成すれば、例えば、一部の層を他の層と異なる条件で形成することで、各層の形成時に生じるマクロ的な規則性を目立ちにくくすることができる。また、これにより、例えば、高い品質での造形をより適切に行うことができる。
【００１４】
また、少なくともいずれかの造形モードで造形物を造形する場合において、走査駆動部は、予め設定された数の層が形成される毎に、パス間副走査動作での副走査送り量を変化させることが好ましい。このように構成すれば、例えば、各層の形成時に生じるマクロ的な規則性をより目立ちにくくすることができる。また、パス間副走査動作での副走査送り量については、一つの層が形成される毎に変化させることがより好ましい。
【００１５】
また、一つの動作モードでの動作中にパス間副走査動作での副走査送り量を変化させる制御については、例えば、一部の動作モードに対してのみ行ってもよい。より具体的に、例えば、第１モードにおいては、造形の速度を優先するために、このような制御を行わず、全ての層を同じ条件で形成することが考えられる。また、例えば第２モードにおいては、造形の品質を優先するために、パス間副走査動作での副走査送り量を変化させる制御を行うことが考えられる。
【００１６】
また、パス間副走査動作での副走査送り量については、積層方向における層の位置によって変化させること等も考えられる。また、この場合、例えば、積層方向における下層側においてパス間副走査動作での副走査送り量をより大きくすることが考えられる。このように構成すれば、例えば、積層されるインクの層に反りが生じること等をより適切に防ぐことができる。より具体的に、この場合、走査駆動部は、例えば、積層方向の下側からＭ番目（Ｍは、１以上の整数）までの層の形成時におけるパス間副走査動作での副走査送り量を、Ｍ＋１層目以降の層の形成時におけるパス間副走査動作での副走査送り量よりも大きくする。このように構成すれば、例えば、高い品質での造形をより適切に行うことができる。また、このような制御についても、例えば、第１モード及び第２モードのうち、造形の速度を優先する第１モードでは行わず、造形の品質を優先する第２モードでのみ行うこと等も考えられる。
【００１７】
また、この構成において、副走査方向における幅がノズル列長Ｌよりも大きな層を形成する場合、走査駆動部は、例えば、層における同じ位置に対してパス数であるＮ回分の主走査動作を吐出ヘッドに行わせる毎に、副走査送り量をノズル列長Ｌに対応する距離に設定した副走査動作を吐出ヘッドに行わせる。このように構成すれば、例えば、大きなサイズの造形物を造形する場合にも、造形物の造形を適切に行うことができる。また、この場合、副走査送り量をノズル列長Ｌに対応する距離に設定した副走査動作を行うことで生じるつなぎ位置については、できるだけ同じ位置で重ならないようにすることが好ましい。より具体的に、つなぎ位置とは、例えば、副走査送り量をノズル列長Ｌに対応する距離に設定した副走査動作の前の副走査方向における吐出ヘッドの位置と、この副走査動作の後の副走査方向における吐出ヘッドの位置との境界となる位置のことである。そして、この場合、つなぎ位置について、予め設定された数の層が形成される毎に変化させることが好ましい。このように構成すれば、例えば、多数の層分のつなぎ位置が同じ位置で重なることでつなぎ位置が目立つことを適切に防ぐことができる。また、これにより、例えば、高い品質での造形をより適切に行うことができる。また、このような制御についても、例えば、第１モード及び第２モードのうち、造形の速度を優先する第１モードでは行わず、造形の品質を優先する第２モードでのみ行うこと等も考えられる。
【００１８】
また、本発明の構成として、上記と同様の特徴を有する造形方法等を用いることも考えられる。この場合も、例えば、上記と同様の効果を得ることができる。また、この場合、造形方法について、例えば、造形物の製造方法等と考えることもできる。また、本発明の構成として、必ずしも複数の動作モードを用いる場合に限らず、一つの動作モードにおいて、上記のいずれかの特徴を有する構成を考えることもできる。
【発明の効果】
【００１９】
本発明によれば、例えば、より適切な方法で造形物の造形を行うことができる。
【図面の簡単な説明】
【００２０】
【図１】本発明の一実施形態に係る造形装置１０の一例を示す図である。図１（ａ）は、造形装置１０の要部の構成の一例を示す。図１（ｂ）は、造形装置１０におけるヘッド部１２の構成の一例を示す。
【図２】インクジェットヘッド１０２のより詳細な構成の一例を示す図である。
【図３】小ピッチパス方式での造形の動作について説明をする図である。図３（ａ）は、一般的なマルチパス方式でインクの層を形成する動作の一例を示す。図３（ｂ）は、小ピッチパス方式でインクの層を形成する動作の一例を示す。
【図４】小ピッチパス方式でインクの層を形成する動作について更に詳しく説明をする図である。
【図５】モード設定部１８において設定する造形モードについて更に詳しく説明をする図である。図５（ａ）は、高速モードの動作の一例を示す。図５（ｂ）は、高精細モードの動作の一例を示す。
【図６】インクジェットヘッド１０２の構成の変形例について説明をする図である。図６（ａ）は、インクジェットヘッド１０２の構成の変形例を示す。図６（ｂ）は、インクジェットヘッド１０２の構成の更なる変形例を示す。
【図７】小ピッチパス方式での具体的な動作について更に詳しく説明をする図である。図７（ａ）〜（ｃ）は、小ピッチパス方式での具体的な動作の様々な例を示す。
【発明を実施するための形態】
【００２１】
以下、本発明に係る実施形態を、図面を参照しながら説明する。図１は、本発明の一実施形態に係る造形装置１０の一例を示す。図１（ａ）は、造形装置１０の要部の構成の一例を示す。図１（ｂ）は、造形装置１０におけるヘッド部１２の構成の一例を示す。
【００２２】
尚、以下に説明をする点を除き、造形装置１０は、公知の造形装置と同一又は同様の特徴を有してよい。より具体的に、以下に説明をする点を除き、造形装置１０は、インクジェットヘッドを用いて造形物５０の材料となる液滴を吐出することで造形を行う公知の造形装置と同一又は同様の特徴を有してよい。また、造形装置１０は、図示した構成以外にも、例えば、造形物５０の造形等に必要な各種構成を更に備えてよい。
【００２３】
本例において、造形装置１０は、積層造形法により立体的な造形物５０を造形する造形装置（３Ｄプリンタ）である。この場合、積層造形法とは、例えば、予め設定された積層方向へ複数の層を積層することで立体的な造形物５０を造形する方法のことである。造形物５０とは、例えば、立体的な三次元構造物のことである。また、本例において、造形装置１０は、ヘッド部１２、造形台１４、走査駆動部１６、モード設定部１８、及び制御部２０を備える。
【００２４】
ヘッド部１２は、造形物５０の材料を吐出する部分である。また、本例において、造形物５０の材料としては、インクを用いる。この場合、インクとは、例えば、機能性の液体のことである。また、本例において、インクについては、例えば、インクジェットヘッドから吐出する液体等と考えることもできる。この場合、インクジェットヘッドとは、例えば、インクジェット方式でインクの液滴を吐出する吐出ヘッドのことである。また、より具体的に、ヘッド部１２は、造形物５０の材料として、複数のインクジェットヘッドから、所定の条件に応じて硬化するインクを吐出する。そして、着弾後のインクを硬化させることにより、造形物５０を構成する各層を重ねて形成する。また、本例では、インクとして、紫外線の照射により液体状態から硬化する紫外線硬化型インク（ＵＶインク）を用いる。
【００２５】
また、ヘッド部１２は、造形物５０の材料に加え、サポート層５２の材料を更に吐出する。これにより、ヘッド部１２は、造形物５０の周囲等に、必要に応じて、サポート層５２を形成する。サポート層５２とは、例えば、造形中の造形物５０の少なくとも一部を支持する積層構造物のことである。サポート層５２は、造形物５０の造形時において、必要に応じて形成され、造形の完了後に除去される。
【００２６】
造形台１４は、造形中の造形物５０を支持する台状部材であり、ヘッド部１２におけるインクジェットヘッドと対向する位置に配設され、造形中の造形物５０を上面に載置する。また、本例において、造形台１４は、少なくとも上面が積層方向（図中のＺ方向）へ移動可能な構成を有しており、走査駆動部１６に駆動されることにより、造形物５０の造形の進行に合わせて、少なくとも上面を移動させる。この場合、積層方向とは、例えば、積層造形法において造形の材料が積層される方向のことである。また、本例において、積層方向は、造形装置１０において予め設定される主走査方向（図中のＹ方向）及び副走査方向（図中のＸ方向）と直交する方向である。
【００２７】
走査駆動部１６は、造形中の造形物５０に対して相対的に移動する走査動作をヘッド部１２に行わせる駆動部である。この場合、造形中の造形物５０に対して相対的に移動するとは、例えば、造形台１４に対して相対的に移動することである。また、ヘッド部１２に走査動作を行わせるとは、例えば、ヘッド部１２が有するインクジェットヘッドに走査動作を行わせることである。また、本例において、走査駆動部１６は、走査動作として、主走査動作（Ｙ走査）、副走査動作（Ｘ走査）、及び積層方向走査（Ｚ走査）をヘッド部１２に行わせる。
【００２８】
主走査動作とは、例えば、造形の材料であるインクを吐出しつつ造形中の造形物５０に対して相対的に主走査方向へ移動する動作のことである。本例において、走査駆動部１６は、主走査方向における造形台１４の位置を固定して、ヘッド部１２の側を移動させることにより、ヘッド部１２に主走査動作を行わせる。また、走査駆動部１６は、例えば、主走査方向におけるヘッド部１２の位置を固定して、例えば造形台１４を移動させることにより、造形物５０の側を移動させてもよい。
【００２９】
副走査動作とは、例えば、主走査方向と直交する副走査方向へ造形中の造形物５０に対して相対的に移動する動作のことである。また、より具体的に、副走査動作は、例えば、予め設定された送り量だけ副走査方向へ造形台１４に対して相対的に移動する動作である。本例において、走査駆動部１６は、主走査動作の合間に、副走査方向におけるヘッド部１２の位置を固定して、造形台１４を移動させることにより、ヘッド部１２に副走査動作を行わせる。また、走査駆動部１６は、副走査方向における造形台１４の位置を固定して、ヘッド部１２を移動させることにより、ヘッド部１２に副走査動作を行わせてもよい。
【００３０】
積層方向走査とは、例えば、造形中の造形物５０に対して相対的に積層方向へヘッド部１２を移動させる動作のことである。走査駆動部１６は、造形の動作の進行に合わせてヘッド部１２に積層方向走査を行わせることにより、積層方向において、造形中の造形物５０に対するインクジェットヘッドの相対位置を調整する。また、より具体的に、本例の積層方向走査において、走査駆動部１６は、積層方向におけるヘッド部１２の位置を固定して、造形台１４を移動させる。走査駆動部１６は、積層方向における造形台１４の位置を固定して、ヘッド部１２を移動させてもよい。
【００３１】
モード設定部１８は、造形装置１０において実行する造形の動作モードを設定するための構成である。この場合、動作モードとは、例えば、造形の動作を指定するモードのことである。造形モードについては、例えば、造形の動作の各種の条件をまとめて指定するパラメータ等と考えることもできる。また、モード設定部１８は、例えば、造形装置１０を操作するオペレータの指示に応じて、造形モードの設定を行う。また、モード設定部１８は、例えば、造形装置１０の動作を制御する制御用のコンピュータ（ホストＰＣ）を介して、オペレータの指示を受け取る。この場合、モード設定部１８は、例えば、造形装置１０において造形しようとする造形物５０を示すデータである造形物データとして、動作モードを指定する情報を含むデータをホストＰＣから受けとってもよい。また、モード設定部１８は、造形物データとは別に、動作モードを指定する情報を含むデータをホストＰＣから受け取ってもよい。
【００３２】
また、より具体的に、本例において、モード設定部１８は、動作モードとして、少なくとも、第１モードの一例である高速モードと、第２モードの一例である高精細モードとを設定可能である。また、これらのうち、高速モードは、造形物５０の造形に要する時間（造形時間）が高精細モードよりも短くなる条件で造形を行う動作モードである。高精細モードは、高速モードよりも高精細な条件で造形物の造形を行うモードである。高精細な条件で造形物の造形を行うとは、例えば、より高い品質での造形を行うことである。また、高精細モードについては、例えば、造形時間が高速モードよりも長くなる動作モードと考えることもできる。
【００３３】
また、モード設定部１８は、動作モードとして、高速モード及び高精細モード以外の動作モードを更に設定可能であってもよい。この場合、例えば、造形時間が高速モードよりも短くなる超高速モードや、高精細モードよりも高精細な条件で造形物の造形を行う超高精細モード等を更に設定可能にすること等が考えられる。モード設定部１８において設定する造形モードについては、後に更に詳しく説明をする。
【００３４】
制御部２０は、例えば造形装置１０のＣＰＵであり、造形装置１０の各部を制御することにより、造形装置１０における造形の動作を制御する。より具体的に、制御部２０は、例えば造形すべき造形物５０の形状情報や、カラー情報等に基づき、造形装置１０の各部を制御する。また、この場合、モード設定部１８により設定された造形モードに合わせて、造形装置１０の各部の動作を制御する。本例によれば、例えば、造形物５０の造形を適切に行うことができる。
【００３５】
続いて、ヘッド部１２のより具体的な構成について、説明をする。本例において、ヘッド部１２は、複数のインクジェットヘッド、複数の紫外線光源１０４、及び平坦化ローラ１０６を有する。また、複数のインクジェットヘッドとして、図１（ｂ）に示すように、インクジェットヘッド１０２ｓ、インクジェットヘッド１０２ｗ、インクジェットヘッド１０２ｙ、インクジェットヘッド１０２ｍ、インクジェットヘッド１０２ｃ、インクジェットヘッド１０２ｋ、及びインクジェットヘッド１０２ｔを有する。これらの複数のインクジェットヘッドは、例えば、副走査方向における位置を揃えて、主走査方向へ並べて配設される。また、それぞれのインクジェットヘッドは、造形台１４と対向する面に、所定のノズル列方向へ複数のノズルが並ぶノズル列を有する。また、本例において、ノズル列方向は、副走査方向と平行な方向である。
【００３６】
また、これらのインクジェットヘッドのうち、インクジェットヘッド１０２ｓは、サポート層５２の材料を吐出するインクジェットヘッドである。サポート層５２の材料としては、例えば、サポート層用の公知の材料を好適に用いることができる。また、本例において、サポート層５２の材料としては、造形物５０の材料よりも紫外線による硬化度が弱い紫外線硬化型インクを用いる。これにより、インクジェットヘッド１０２ｓは、サポート層５２の材料となる紫外線硬化型インクを、ノズル列における各ノズルから吐出する。
【００３７】
インクジェットヘッド１０２ｗは、白色（Ｗ色）のインクを吐出するインクジェットヘッドであり、白色のインクを、ノズル列における各ノズルから吐出する。また、本例において、インクジェットヘッド１０２ｗは、造形物５０の内部を形成するための内部造形用ヘッドの一例であり、造形物５０の内部を構成する内部領域を、白色のインクで形成する。また、白色のインクは、光反射性のインクの一例でもあり、例えば造形物５０において光を反射する性質の領域（光反射領域）を形成する場合に用いられる。この光反射領域は、例えば、造形物５０表面に対してフルカラー表現での着色を行う場合に、造形物５０の外部から入射する光を反射する。フルカラー表現とは、例えば、プロセスカラーのインクによる減法混色法の可能な組み合わせで行う色の表現のことである。また、本例においては、内部領域を白色のインクで形成することにより、内部領域が光反射領域としても機能する。
【００３８】
尚、造形装置１０の動作の変形例においては、内部領域と光反射領域とを分けて形成してもよい。この場合、内部領域について、白色のインク以外のインクを用いて形成してもよい。また、ヘッド部１２は、内部領域を形成するためのインクジェットヘッドとして、造形材インク（Ｍｏインク）を吐出するインクジェットヘッド等を更に有してもよい。この場合、造形材インクとは、例えば、造形物５０の内部領域の造形に用いる造形専用のインクである。また、この場合、造形材インク用のインクジェットヘッドについて、内部造形用ヘッドと考えることができる。
【００３９】
インクジェットヘッド１０２ｙ、インクジェットヘッド１０２ｍ、インクジェットヘッド１０２ｃ、インクジェットヘッド１０２ｋ（以下、インクジェットヘッド１０２ｙ〜ｋという）は、着色された造形物５０の造形時に用いられる着色用のインクジェットヘッドであり、着色に用いる複数色のインク（着色用のインク）のそれぞれのインクを、ノズル列における各ノズルからそれぞれ吐出する。より具体的に、インクジェットヘッド１０２ｙは、イエロー色（Ｙ色）のインクを吐出する。インクジェットヘッド１０２ｍは、マゼンタ色（Ｍ色）のインクを吐出する。インクジェットヘッド１０２ｃは、シアン色（Ｃ色）のインクを吐出する。また、インクジェットヘッド１０２ｋは、ブラック色（Ｋ色）のインクを吐出する。また、この場合、ＹＭＣＫの各色は、フルカラー表現に用いるプロセスカラーの一例である。
【００４０】
インクジェットヘッド１０２ｔは、クリアインクを吐出するインクジェットヘッドであり、クリアインクを、ノズル列における各ノズルから吐出する。クリアインクとは、例えば、無色の透明色（Ｔ）であるクリア色のインクのことである。また、本例において、着色された造形物５０を造形する場合、光反射領域として機能する内部領域の周囲に、着色用のインクとクリアインクとを用いて、着色領域を形成する。そして、この場合、着色される色の違いによって生じる着色用のインクの使用量の変化を補填するようにクリアインクを用いる。このように構成すれば、例えば、様々な色で着色がされた造形物５０を適切に造形することができる。
【００４１】
複数の紫外線光源１０４は、インクを硬化させるための光源（ＵＶ光源）であり、紫外線硬化型インクを硬化させる紫外線を発生する。また、本例において、複数の紫外線光源１０４のそれぞれは、間にインクジェットヘッドの並びを挟むように、ヘッド部１２における主走査方向の一端側及び他端側のそれぞれに配設される。紫外線光源１０４としては、例えば、ＵＶＬＥＤ（紫外ＬＥＤ）等を好適に用いることができる。また、紫外線光源１０４として、メタルハライドランプや水銀ランプ等を用いることも考えられる。
【００４２】
平坦化ローラ１０６は、造形物５０の造形中に形成されるインクの層を平坦化するための平坦化手段である。平坦化ローラ１０６は、例えば主走査動作時において、インクの層の表面と接触して、硬化前のインクの一部を除去することにより、インクの層を平坦化する。
【００４３】
以上のような構成のヘッド部１２を用いることにより、造形物５０を構成するインクの層を適切に形成できる。また、複数のインクの層を重ねて形成することにより、造形物５０を適切に造形できる。
【００４４】
尚、ヘッド部１２の具体的な構成については、上記において説明をした構成に限らず、様々に変形することもできる。例えば、ヘッド部１２は、着色用のインクジェットヘッドとして、上記以外の色用のインクジェットヘッドを更に有してもよい。また、ヘッド部１２における複数のインクジェットヘッドの並べ方についても、様々に変形可能である。例えば、一部のインクジェットヘッドについて、他のインクジェットヘッドと副走査方向における位置をずらしてもよい。
【００４５】
続いて、造形装置１０において行う造形の動作について、更に詳しく説明をする。先ず、以下において説明をする造形の動作を行うためのより具体的な構成の例として、本例の造形装置１０において用いるインクジェットヘッドの構成について、更に詳しく説明をする。
【００４６】
図２は、インクジェットヘッド１０２のより詳細な構成の一例を示す。この場合、図中に示すインクジェットヘッド１０２は、造形装置１０におけるヘッド部１２（図１参照）が有するいずれか一つのインクジェットヘッドである。また、この場合、ヘッド部１２においては、インクジェットヘッド１０２ｓ、インクジェットヘッド１０２ｗ、インクジェットヘッド１０２ｙ、インクジェットヘッド１０２ｍ、インクジェットヘッド１０２ｃ、インクジェットヘッド１０２ｋ、及びインクジェットヘッド１０２ｔのそれぞれとして、図２に示すインクジェットヘッド１０２を用いることが考えられる。
【００４７】
上記においても説明をしたように、本例において、インクジェットヘッド１０２は、副走査方向と並行なノズル列方向へ複数のノズル２０２が並ぶノズル列を有する。また、より具体的に、本例のインクジェットヘッド１０２におけるノズル列において、複数のノズル２０２は、副走査方向における間隔が一定の間隔ｄになるようにして、ノズル列長Ｌの範囲に並んでいる。
【００４８】
ここで、ノズル列において、副走査方向における間隔が一定の間隔ｄになるように複数のノズル２０２が並ぶとは、例えば、各ノズルの副走査方向における位置に着目した場合に、ノズル２０２の間隔が一定の間隔ｄになっていることである。また、図２においては、図示の便宜上、ノズル２０２の数が比較的少ない場合について、インクジェットヘッド１０２の構成の例を示している。しかし、インクジェットヘッド１０２としては、ノズル２０２の数がより多い構成を用いることがより好ましい。一つのインクジェットヘッド１０２におけるノズル２０２の数については、例えば５００個以上（例えば、５００〜２０００程度）にすることが考えられる。また、図中に示すように、本例のインクジェットヘッド１０２における複数のノズル２０２は、主走査方向における位置を揃えて、副走査方向における位置が互いにずれるように並んでいる。しかし、インクジェットヘッド１０２の構成の変形例において、複数のノズル２０２の主走査方向における位置は、必ずしも揃っていなくてもよい。この場合、ノズル列長Ｌについては、例えば、インクジェットヘッド１０２において複数のノズル２０２が並ぶ範囲の副走査方向における幅等と考えることができる。また、一つの色用のインクジェットヘッド１０２としては、例えば、複数のインクジェットヘッドにより構成される複合ヘッド（例えばスタガヘッド）を用いてもよい。この場合、複合ヘッドの全体において複数のノズル２０２が並ぶ範囲の副走査方向における幅について、ノズル列長Ｌと考えることができる。
【００４９】
また、本例においては、造形に使用する各色のインク用のインクジェットヘッド１０２として上記のような構成のインクジェットヘッドを用いて、マルチパス方式での造形の動作を行う。この場合、マルチパス方式での造形の動作とは、例えば、積層造形法において積層するそれぞれのインクの層を形成する動作について、マルチパス方式で行うことである。また、マルチパス方式でインクの層を形成するとは、例えば、一つのインクの層を形成する動作において、各位置（同じ位置）に対して複数回の主走査動作を行うことである。
【００５０】
また、更に具体的に、本例において、造形装置１０は、高速モード及び高精細モードでの造形の動作として、小ピッチパス方式での造形の動作を行う。この場合、小ピッチパス方式での造形の動作とは、例えば、それぞれのインクの層を形成する動作を小ピッチパス方式で行うことである。そこで、以下、小ピッチパス方式での造形の動作について、更に詳しく説明をする。
【００５１】
図３は、小ピッチパス方式での造形の動作について説明をする図であり、一般的なマルチパス方式の動作と、小ピッチパス方式の動作とを比較して示す。図３（ａ）は、一般的なマルチパス方式でインクの層を形成する動作の一例を示す図である。この場合、一般的なマルチパス方式とは、例えば、２次元の画像を印刷するインクジェットプリンタにおいて用いられているマルチパス方式の動作と同一又は同様にしてインクの層を形成する方式のことである。
【００５２】
また、より具体的に、一般的なマルチパス方式の動作とは、１回の副走査動作において造形中の造形物に対して相対的にインクジェットヘッド１０２を移動させる距離である副走査送り量について、例えば図３（ａ）に示すように、ノズル列長Ｌをパス数Ｎ（Ｎは、２以上の整数）で除した距離Ｌ／Ｎに設定する動作のことである。この場合、パス数Ｎとは、一つのインクの層の形成時に層の各位置に対して行う主走査動作の回数のことである。また、副走査送り量を距離Ｌ／Ｎに設定するとは、副走査送り量を実質的に距離Ｌ／Ｎに設定することであってよい。副走査送り量を実質的に距離Ｌ／Ｎに設定するとは、例えば、マルチパスの動作の制御の都合上で生じる調整量分等のずれを許容して、距離Ｌ／Ｎと等しく設定することである。
【００５３】
また、図３（ａ）においては、パス数Ｎが４である場合について、連続して行う６回の主走査動作について、一つのインクジェットヘッド１０２の副走査方向における位置の例を示している。図中において、丸で囲んで示す数字１〜６は、この６回の主走査動作のうちのいずれの回に対応するかを示す数字である。また、図３（ａ）において、文字Ｆは、一般的なマルチパス方式の動作での副走査送り量を示している。この場合、Ｆは、Ｌ／Ｎと等しい。また、パス数が４回の場合、Ｆ＝Ｌ／４になる。図示した場合において、形成中のインクの層の副走査方向における幅は、ノズル列長Ｌの１／２より大きく、かつ、ノズル列長Ｌの３／４よりも小さくなっている。そして、この場合、図中に示すように、インクの層の各位置に対してパス数である４回分の主走査動作を行うためには、６回の主走査動作を行うことが必要になる。
【００５４】
これに対し、小ピッチパス方式でインクの層を形成する場合、例えば図３（ｂ）に示すように、同じ大きさインクの層を形成するために必要な主走査動作の回数をより少なくすることができる。図３（ｂ）は、小ピッチパス方式でインクの層を形成する動作の一例を示す図である。また、図３（ｂ）においては、パス数Ｎが４である場合について、連続して行う４回の主走査動作について、一つのインクジェットヘッド１０２の副走査方向における位置の例を示している。図中において、丸で囲んで示す数字１〜４は、この４回の主走査動作のうちのいずれの回に対応するかを示す数字である。また、図示した場合において、形成中のインクの層の副走査方向における幅は、図３（ａ）に示す場合と同じである。
【００５５】
ここで、一つのインクの層の形成時に同じ位置に対してパス数分のＮ回の主走査動作を行う間に行う副走査動作をパス間副走査動作と定義し、パス間副走査動作での副走査送り量（小ピッチ送り量）をＦｓとした場合、小ピッチパス方式については、例えば、パス間副走査動作での副走査送り量Ｆｓを一般的なマルチパス方式での副走査送り量Ｆよりも小さくする動作等と考えることができる。この場合、同じ位置に対してＮ回の主走査動作を行う間とは、例えば図中に示すように、一つのインクの層におけるいずれかの位置に対してＮ回の主走査動作を行う間のことである。パス間副走査動作については、例えば、一つのインクの層の形成時に当該層の少なくとも一部における同じ位置に対してパス数分（Ｎ回）の主走査動作を行う間に行う副走査動作等と考えることもできる。また、小ピッチパス方式での副走査動作の実行時における走査駆動部１６（図１参照）の動作については、例えば、パス間副走査動作での副走査送り量Ｆｓを距離Ｌ／Ｎよりも小さくしてインクジェットヘッド１０２に副走査動作を行わせる動作等と考えることができる。また、小ピッチパス方式におけるパス間副走査動作での副走査送り量Ｆｓについては、通常、距離Ｌ／Ｎの１／２であるＬ／（２Ｎ）よりも小さくすることが考えられる。また、小ピッチパス方式におけるパス間副走査動作での副走査送り量Ｆｓについて、好ましくは、Ｌ／（５Ｎ）以下程度である。また、インクジェットヘッド１０２におけるノズルの数が十分に多い場合、小ピッチパス方式におけるパス間副走査動作での副走査送り量Ｆｓについては、Ｌ／（１０Ｎ）以下程度にすることが好ましい。
【００５６】
また、小ピッチパス方式でインクの層を形成する動作では、インクの層の副走査方向における幅に応じて、多くの場合、一般的なマルチパス方式の動作でインクの層を形成する場合よりも、必要な主走査動作の回数が少なくなる。例えば、図３（ａ）、（ｂ）に示した場合、副走査方向における幅が同じインクの層を形成するために必要な主走査動作の回数について、一般的なマルチパス方式の動作での回数が６回であるのに対し、小ピッチパス方式の動作では、４回になっている。また、これにより、小ピッチパス方式では、一般的なマルチパス方式と比べ、より短時間でインクの層を形成することが可能になる。また、その結果、造形時間についても、小ピッチパス方式を用いることで、より短くすることができる。
【００５７】
また、小ピッチパス方式でインクの層を形成する場合において、形成しようとするインクの層の副走査方向における幅が大きい場合、例えば、パス数分のＮ回の主走査動作を行う毎に、パス間副走査動作での副走査送り量Ｆｓよりも大きな副走査送り量Ｆｌでの副走査動作を行うことが考えられる。図４は、小ピッチパス方式でインクの層を形成する動作について更に詳しく説明をする図であり、副走査方向における幅がノズル列長Ｌよりも大きなインクの層を小ピッチパス方式で形成する動作の一例を示す。図中において、丸で囲んで示す数字１〜４は、最初に行うパス数分の主走査動作について、いずれの回に対応するかを示す数字である。また、丸で囲んで示す数字５〜８は、大きな副走査送り量Ｆｌでの副走査動作を行った後に行うパス数分の主走査動作である５〜８回目の主走査動作について、いずれの回に対応するかを示す数字である。
【００５８】
上記においても説明をしたように、副走査方向における幅が大きいインクの層を小ピッチパス方式で形成する場合、副走査送り量をＦｓとする副走査動作を挟んでパス数分の主走査動作を行う毎に、より大きな副走査送り量Ｆｌでの副走査方向を行う。また、これにより、次に行うパス数分の主走査動作でインクを吐出する範囲について、副走査送り量Ｆｌの分だけ、副走査方向における位置をずらす。このように構成すれば、副走査方向における幅が大きなインクの層を形成する場合にも、小ピッチパス方式での形成を適切に行うことができる。また、この場合も、インクの層の副走査方向における幅に応じて、多くの場合、一般的なマルチパス方式の動作でインクの層を形成する場合よりも、必要な主走査動作の回数が少なくなる。そのため、この場合も、小ピッチパス方式を用いることで、造形時間をより短くすることができる。
【００５９】
ここで、図からわかるように、副走査送り量Ｆｌについては、例えば、ノズル列長Ｌに相当する距離等と考えることができる。また、より具体的に、副走査送り量Ｆｌは、ノズル列長Ｌに対し、連続して行うパス数分の主走査動作の合間に行うパス間副走査動作での副走査送り量Ｆｓの合計である（Ｎ−１）Ｆｓを減じた距離と等しい。すなわち、これらの値の間には、Ｆｌ＝Ｌ−（Ｎ−１）Ｆｓの関係が成り立っていると考えることができる。また、この場合、造形装置１０における走査駆動部１６（図１参照）の動作については、例えば、副走査方向における幅がノズル列長Ｌよりも大きなインクの層を形成する場合において、インクの層における同じ位置に対してパス数であるＮ回分の主走査動作をインクジェットヘッド１０２に行わせる毎に、副走査送り量をノズル列長Ｌに対応する距離に設定した副走査動作をインクジェットヘッド１０２に行わせると考えることができる。このように構成すれば、例えば、大きなサイズの造形物を造形する場合にも、造形物の造形を適切に行うことができる。
【００６０】
また、この場合、大きな副走査送り量Ｆｌでの副走査動作を行う前にパス数分の主走査動作でインクを吐出する範囲と、この副走査動作の後のパス数分の主走査動作でインクを吐出する範囲とは、一部が重なることになる。また、その結果、インクの層において、このような重なりの部分に相当するつなぎ領域１５２が形成されることになる。そして、この場合、つなぎ領域１５２は、形成中に大きな副走査送り量Ｆｌでの副走査動作が行われること等により、他の部分と異なる状態で形成されることが考えられる。また、その結果、インクの層において、つなぎ領域１５２の位置であるつなぎ位置が目立ち、造形の品質に影響が生じること等も考えられる。
【００６１】
これに対し、本例においては、上記においても説明をしたように、造形に求められる品質等に応じて、造形の動作モードとして、高速モード及び高精細モード等を選択可能にしている。また、この場合において、例えば、高精細モードにおいて、つなぎ位置をより目立ちにくくなる条件での造形を行う。
【００６２】
図５は、モード設定部１８（図１参照）において設定する造形モードについて更に詳しく説明をする図である。図５（ａ）は、高速モードの動作の一例を示す図であり、高速モードにおけるパス間副走査動作での副走査送り量Ｆｓの一例を示す。図５（ｂ）は、高精細モードの動作の一例を示す図であり、高精細モードにおけるパス間副走査動作での副走査送り量Ｆｓの一例を示す。
【００６３】
上記においても説明をしたように、小ピッチパス方式での造形の動作を行う場合、一般的なマルチパス方式で造形の動作を行う場合と比べて、造形時間を短くすることができる。また、この場合、通常、パス間副走査動作での副走査送り量Ｆｓを小さくする程、造形時間が短くなる。一方、図４を用いて上記において説明をするように、副走査方向における幅が大きなインクの層を小ピッチパス方式で形成する場合、つなぎ領域が形成されることになる。また、この場合、通常、パス間副走査動作での副走査送り量Ｆｓを小さくする程、つなぎ位置が目立ちやすくなると考えられる。そのため、小ピッチパス方式の動作については、例えば、造形の速度をより速くするとつなぎ位置がより目立ちやすくなると考えることができる。
【００６４】
そこで、本例においては、パス間副走査動作での副走査送り量Ｆｓについて、高精細モードでの副走査送り量Ｆｓが高速モードでの副走査送り量Ｆｓよりも大きくなるように、各モードでの副走査送り量Ｆｓを設定する。このように構成すれば、例えば、高速モードにおいて、高精細モードよりも高速に造形を行うことができる。また、これにより、高速モードにおいて、高速な造形をより適切に行うことができる。また、この場合、高精細モードにおいては、例えば、高速モードよりもつなぎ位置を目立ちにくくすることができる。また、これにより、高精細モードにおいて、高い品質での造形をより適切に行うことができる。また、より具体的に、本例においては、図中に示すように、高速モードでの副走査送り量Ｆｓについて、ｆ１に設定する。また、高精細モードでの副走査送り量Ｆｓについて、ｆ１よりも大きなｆ２に設定する。このように構成すれば、例えば、各モードでの造形の動作を適切に行うことができる。
【００６５】
ここで、本例において、高速モードについては、例えば、パス間副走査動作での副走査送り量Ｆｓを第１の条件で設定する動作モード等と考えることができる。また、高精細モードについては、例えば、パス間副走査動作での副走査送り量Ｆｓを第１の条件と異なる第２の条件で設定する動作モード等を考えることができる。そして、この場合、第２の条件については、例えば、パス間副走査動作での副走査送り量Ｆｓが第１の条件よりも大きくなる条件等と考えることができる。また、この場合、高精細モードについては、例えば、パス間副走査動作での副走査送り量Ｆｓを第１の条件よりも大きくすることで造形に要する時間がより長くなる動作モード等と考えることもできる。
【００６６】
また、高速モード及び高精細モードにおけるパス間副走査動作での副走査送り量Ｆｓについては、例えば、同じパス数で一般的なマルチパス方式を用いる場合の副走査送り量よりも小さくなっている範囲で、副走査方向における造形の解像度に応じて設定することが好ましい。また、副走査方向における造形の解像度については、例えば、動作モード毎に異ならせてもよい。より具体的に、例えば、高速モードでの副走査方向における造形の解像度に対応するドット間距離をｘ１とし、高精細モードでの副走査方向における造形の解像度に対応するドット間距離をｘ２とした場合、ｆ１、ｆ２、ｘ１、ｘ２について、ｆ２／ｘ２＞ｆ１／ｘ１となるようにそれぞれの値を設定することが考えられる。このように構成すれば、例えば、高速モードにおいて、高精細モードよりも高速に造形の動作を適切に行うことができる。また、高精細モードにおいて、例えば、高速モードよりも高精細な条件での造形を適切に行うことができる。
【００６７】
また、更に具体的に、ｆ１及びｘ１の値については、例えば、ｆ１／Ｘ１≦５となるように設定することが好ましい。このように構成すれば、例えば、高速な造形の動作をより適切に行うことができる。また、ｆ１／Ｘ１の値については、好ましくは２以下、更に好ましくは１以下である。また、造形装置１０（図１参照）の構成によっては、ｆ１の値について、例えば、０（ゼロ）にすること等も考えられる。また、ｆ２及びｘ２の値については、例えば、ｆ２／Ｘ２≧１０となるように設定することが好ましい。このように構成すれば、例えば、高精細な条件での造形を適切に行うことができる。また、より高精細な造形を行う場合、ｆ１／Ｘ１の値について、例えば２０以上にすること等も考えられる。
【００６８】
以上のように、本例によれば、例えば、小ピッチパス方式での造形を行うことで、それぞれのインクの層の形成時に行う主走査動作の回数を低減することができる。また、これにより、例えば、造形時間を適切に短縮することができる。また、この場合において、上記のような高速モード及び高精細モードを設定可能にすることで、例えば、パス間副走査動作での副走査送り量Ｆｓを動作モードによって異ならせることができる。また、これにより、例えば、造形に求められる品質等に応じた造形の動作で造形物の造形をより適切に行うことができる。
【００６９】
続いて、上記において説明をした構成に関する補足説明や、変形例の説明等を行う。上記においては、造形装置１０において設定可能な動作モードとして、主に、高速モード及び高精細モードについて、説明をした。しかし、動作モードとしては、これらに限らず、他の動作モードを更に設定可能にしてもよい。また、この場合、例えば、高速モードよりも更に高速に造形を行う超高速モードや、高精細モードよりも更に高精細に造形を行う超高精細モード等を設定可能にすること等が考えられる。また、超高速モードにおいては、例えば、高速モードでの造形時よりも造形の解像度を低くすることで、より高速に造形を行うことが考えられる。また、超高精細モードでは、例えば、パス間副走査動作での副走査送り量Ｆｓを高精細モードよりも大きくして造形を行うことが考えられる。また、超高精細モードでは、例えば、小ピッチパス方式を用いずに、例えば図３（ａ）を用いて説明をしたような一般的なマルチパス方式の動作でインクの層を形成してもよい。
【００７０】
また、上記のように、本例においては、造形物を構成するそれぞれのインクの層を形成する動作について、小ピッチパス方式で行う。そして、この場合、一つのインクの層を形成する動作については、例えば、一つのスライスデータに基づいてインクの層を形成する動作と考えることができる。一つのスライスデータとは、例えば、積層方向における一つの位置での造形物の断面を示すデータのことである。
【００７１】
より具体的に、上記においても説明をしたように、本例において、造形装置１０は、例えば、造形物を示す造形物データをホストＰＣから受け取り、造形物データに基づき、造形物の造形を行う。また、この場合、造形物データに基づき、造形物における互いに異なる位置の断面を示すスライスデータを生成する。また、積層方向における各位置のスライスデータとしては、例えば、積層方向と直交する面内（ＸＹ面内）においてヘッド部１２（図１参照）の各インクジェットヘッドからインクを吐出する位置を示すデータを生成する。そして、スライスデータに基づいて各インクジェットヘッドからインクを吐出することで、一つのインクの層を形成する。
【００７２】
また、例えば高速モードや高精細モード等で造形を行う場合において、パス間副走査動作での副走査送り量Ｆｓについては、一つの動作モードでの造形を行う中で、変更を行ってもよい。より具体的に、この場合、少なくともいずれかの造形モードで造形物を造形する動作において、造形装置１０における走査駆動部１６（図１参照）は、例えば、一部のインクの層の形成時におけるパス間副走査動作での副走査送り量Ｆｓを他のインクの層の形成時におけるパス間副走査動作での副走査送り量Ｆｓと異ならせる。また、この場合、走査駆動部１６は、例えば、予め設定された数の層が形成される毎に、パス間副走査動作での副走査送り量Ｆｓを変化させる。このように構成すれば、例えば、一部のインクの層を他のインクの層と異なる条件で形成することで、例えばつなぎ位置の影響等のような、各層の形成時に生じるマクロ的な規則性を目立ちにくくすることができる。また、これにより、例えば、高い品質での造形をより適切に行うことができる。また、このようにして造形中にパス間副走査動作での副走査送り量Ｆｓを変化させる場合、副走査送り量Ｆｓについて、一つのインクの層が形成される毎に変化させることがより好ましい。このように構成すれば、例えば、高い品質での造形をより適切に行うことができる。
【００７３】
また、一つの動作モードでの動作中にパス間副走査動作での副走査送り量Ｆｓを変化させる制御については、例えば、一部の動作モードに対してのみ行ってもよい。より具体的に、例えば、高速モードで造形を行う場合には、造形の速度を優先するために、このような制御を行わず、全てのインクの層を同じ条件で形成することが考えられる。また、例えば高精細モードで造形を行う場合には、造形の品質を優先するために、パス間副走査動作での副走査送り量Ｆｓを上記のように変化させる制御を行うことが考えられる。
【００７４】
また、パス間副走査動作での副走査送り量Ｆｓについては、例えば、積層方向におけるインクの層の位置によって変化させること等も考えられる。この場合、例えば、積層方向における下層側においてパス間副走査動作での副走査送り量をより大きくすることが考えられる。このように構成すれば、例えば、積層されるインクの層に反りが生じること等をより適切に防ぐことができる。より具体的に、この場合、走査駆動部１６は、例えば、積層方向の下側からＭ番目（Ｍは、１以上の整数）までのインクの層の形成時におけるパス間副走査動作での副走査送り量Ｆｓを、Ｍ＋１層目以降のインクの層の形成時におけるパス間副走査動作での副走査送り量Ｆｓよりも大きくする。このように構成すれば、例えば、高い品質での造形をより適切に行うことができる。また、このような制御についても、例えば、高速モード及び高精細モードのうち、造形の速度を優先する高速モードでは行わず、造形の品質を優先する高精細モードでのみ行うこと等も考えられる。
【００７５】
尚、積層方向の下側からＭ番目までのインクの層の形成時におけるパス間副走査動作での副走査送り量Ｆｓと、Ｍ＋１層目以降のインクの層の形成時におけるパス間副走査動作での副走査送り量Ｆｓとの大小関係は、実質的な大小関係であってよい。この場合、実質的な大小関係とは、例えば、形式的に大小関係の例外となるインクの層を形成する場合等において、このような例外のインクの層を除いて考えた大小関係のことである。また、この場合、積層方向の下側からＭ番目までのインクの層の形成時におけるパス間副走査動作での副走査送り量Ｆｓと、Ｍ＋１層目以降のインクの層の形成時におけるパス間副走査動作での副走査送り量Ｆｓとの大小関係については、それぞれの範囲における平均の副走査送り量Ｆｓに基づいて判断すること等が考えられる。
【００７６】
また、上記においても説明をしたように、小ピッチパス方式でインクの層を形成する場合、副走査送り量をノズル列長Ｌに対応する距離に設定した副走査動作を行うことで、つなぎ領域が形成されることになる。そして、この場合、つなぎ領域の位置であるつなぎ位置については、積層されるインクの層において、できるだけ同じ位置で重ならないようにすることが好ましい。そのため、つなぎ位置については、例えば、予め設定された数のインクの層が形成される毎に変化させることが考えられる。このように構成すれば、例えば、多数のインクの層におけるつなぎ位置が同じ位置で重なることでつなぎ位置が目立つことを適切に防ぐことができる。また、これにより、例えば、高い品質での造形をより適切に行うことができる。また、このような制御についても、例えば、高速モード及び高精細モードのうち、高速モードでは行わず、高精細モードでのみ行うこと等も考えられる。また、つなぎ位置については、例えば、副走査送り量をノズル列長Ｌに対応する距離に設定した副走査動作の前の副走査方向におけるインクジェットヘッド１０２の位置と、この副走査動作の後の副走査方向におけるインクジェットヘッド１０２の位置との境界となる位置等と考えることができる。
【００７７】
また、上記において説明をした小ピッチパス方式での好ましい動作については、高速モード及び高精細モードのような複数の動作モードを設定可能な構成の造形装置１０に限らず、小ピッチパス方式で造形を行う動作モードが１種類のみの造形装置においても、好適に用いることができる。より具体的に、この場合も、所定の数のインクの層（例えば、一つのインクの層）を形成する毎にパス間副走査動作での副走査送り量Ｆｓを変更することが考えられる。また、例えば、パス間副走査動作での副走査送り量Ｆｓについて、積層方向におけるインクの層の位置によって変化させること等も考えられる。また、この場合も、つなぎ位置について、積層されるインクの層において、できるだけ同じ位置で重ならないようにすることが好ましい。
【００７８】
また、上記の説明から理解できるように、小ピッチパス方式での副走査送り量Ｆｓは、ノズル列長Ｌよりも十分に小さくすることが好ましい。また、この点に関し、上記においては、主に、図２に示した構成のインクジェットヘッド１０２を用いる場合について、ノズル列長Ｌの説明を行った。しかし、上記においても説明をしたように、インクジェットヘッド１０２の構成の変形例においては、図２に示した構成とは異なる構成を有するインクジェットヘッド１０２を用いることも考えられる。そこで、以下、このような変形例を考慮して、インクジェットヘッド１０２の構成とノズル長Ｌとの関係について、更に詳しく説明をする。
【００７９】
図６は、インクジェットヘッド１０２の構成の変形例について説明をする図である。また、以下に説明をする点を除き、図６において、図１〜５と同じ符号を付した構成は、図１〜５における構成と同一又は同様の特徴を有してよい。
【００８０】
図６（ａ）は、インクジェットヘッド１０２の構成の変形例を示す。上記においても説明をしたように、インクジェットヘッド１０２の構成の変形例において、複数のノズル２０２の主走査方向における位置は、必ずしも揃っていなくてもよい。そして、この場合、例えば図中に示すように、主走査方向における位置をずらして並ぶ複数の列に分けてノズル２０２が並ぶ構成のインクジェットヘッド１０２を用いることが考えられる。この場合、各列のノズル２０２の副走査方向における位置をずらすことにより、インクジェットヘッド１０２の全体での副走査方向におけるノズル２０２の間隔について、一つの列でのノズル２０２の間隔よりも小さくすることができる。より具体的に、図中に示す場合、一つの列におけるノズル間隔の半分（半ピッチ）だけそれぞれのノズル２０２の副走査方向における位置がずれるように、二つの列が形成されている。この場合、１回の主走査動作において形成可能なインクのドットの副走査方向における間隔は、図中に距離ｄとして示すように、一つの列におけるノズルの間隔の半分になる。そのため、このように構成すれば、例えば、各回の主走査動作において、より高い密度でインクのドットを形成することができる。また、この場合、ノズル列長Ｌについては、図中に示すように、複数の列に含まれる複数のノズル２０２が並ぶ範囲の副走査方向における幅等と考えることができる。
【００８１】
図６（ｂ）は、インクジェットヘッド１０２の構成の更なる変形例を示す。上記においても説明をしたように、一つの色用のインクジェットヘッド１０２としては、例えば、複数のインクジェットヘッドにより構成される複合ヘッドを用いてもよい。この場合、インクジェットヘッド１０２は、例えば図中に示すように、複数の単位ヘッド１２２により構成される。複数の単位ヘッド１２２は、同じ色のインクを吐出するインクジェットヘッドであり、副走査方向における位置をずらして配設されることにより、複合ヘッドのインクジェットヘッド１０２を構成する。また、図中に示す場合において、インクジェットヘッド１０２は、スタガヘッドである。この場合、複数の単位ヘッド１２２は、図中に示すように、スタガ状に並ぶ。また、この場合、複数の単位ヘッド１２２のそれぞれが有するノズルをまとめて並べた仮想的な列について、インクジェットヘッド１０２のノズル列と考えることができる。また、この場合、インクジェットヘッド１０２の全体において複数のノズル２０２が並ぶ範囲の副走査方向における幅について、ノズル列長Ｌと考えることができる。
【００８２】
また、小ピッチパス方式での具体的な動作についても、上記において説明をした動作に限らず、様々に変形することが可能である。図７は、小ピッチパス方式での具体的な動作について更に詳しく説明をする図である。図７（ａ）〜（ｃ）は、小ピッチパス方式での具体的な動作の様々な例を示す。
【００８３】
上記においては、同じ位置に対してパス数分の主走査動作を行う間に行う副走査動作（パス間副走査動作）において造形物に対して相対的にインクジェットヘッドを移動させる向きに関し、主に、一方向にする場合（一方向へ小ピッチの副走査動作を行う場合）について、説明をした。しかし、小ピッチの副走査動作での移動の向きについては、双方向にすること等も考えられる。より具体的に、この場合、例えば、図３（ｂ）に示した４回の主走査動作を行う順番を一部入れ替えることが考えられる。また、この場合、例えば、図３（ｂ）における１〜４回目の主走査動作について、例えば、１、３、２、４又は１、４、２、３の順番等に入れ替えて実行すること等が考えられる。１、３、２、４の順番に入れ替えて主走査動作を実行するとは、例えば、図３（ｂ）における１回目の主走査動作に対応する主走査動作の次に図３（ｂ）における３回目の主走査動作に対応する主走査動作を行い、その次に図３（ｂ）における２回目の主走査動作に対応する主走査動作を行い、更にその次に図３（ｂ）における４回目の主走査動作に対応する主走査動作を行うことである。また、１、４、２、３の順番に入れ替えて主走査動作を実行するとは、同様に主走査動作の順番を入れ替えることである。また、この場合、主走査動作の順番の入れ替え方に応じて、小ピッチの副走査動作での移動の向きを変更することが考えられる。
【００８４】
また、この場合、各回の主走査動作によりインクのドットを形成する位置は、例えば、図７（ａ）、（ｂ）に示すように変化する。図７（ａ）は、図３（ｂ）に示す動作において各回の主走査動作でインクのドットを形成する位置の例を示す。図中において、丸で囲んで示す数字は、その位置へインクのドットを形成する主走査動作の回を示す。また、図７（ｂ）は、図３（ｂ）における１〜４回目の主走査動作を１、４、２、３の順番に入れ替えた場合に各回の主走査動作でインクのドットを形成する位置の例を示す。また、上記のように主走査動作の順番を入れ替える場合、５回目以降の主走査動作（例えば、５〜８回目の主走査動作）についても、同様に入れ替えることが考えられる。このように構成した場合も、小ピッチパス方式での動作を適切に行うことができる。
【００８５】
また、図７（ａ）、（ｂ）においては、一つのインクの層を構成するインクのドットのうち、副走査方向の位置を揃えて主走査方向へ並ぶ複数のドットをいずれかの１回の主走査動作で形成する場合の例を図示している。しかし、小ピッチパス方式の動作の変形例においては、副走査方向の位置を揃えて主走査方向へ並ぶ複数のドットについて、複数回の主走査動作で形成してもよい。この場合、例えば、図７（ｃ）に示すように、主走査方向において一つのドットおき（１ピッチおき）に異なる回の主走査動作でインクを吐出することが考えられる。また、より具体的に、図７（ｃ）に示す動作では、例えば、１回目の主走査動作を行った後、副走査動作を行わずに２回目の主走査動作を行い、１回目の主走査動作で形成したインクのドットの間（主走査方向におけるトッドの合間）にインクを吐出する。また、この場合、例えば、２回目の主走査動作に続いて小ピッチでの副走査動作を行い、その後に、３回目の主走査動作を行う。また、３回目の主走査動作を行った後、副走査動作を行わずに４回目の主走査動作を行い、３回目の主走査動作で形成したインクのドットの間にインクを吐出する。このように構成した場合も、小ピッチパス方式での動作を適切に行うことができる。
【産業上の利用可能性】
【００８６】
本発明は、例えば造形装置に好適に用いることができる。
【符号の説明】
【００８７】
１０・・・造形装置、１２・・・ヘッド部、１４・・・造形台、１６・・・走査駆動部、１８・・・モード設定部、２０・・・制御部、５０・・・造形物、５２・・・サポート層、１０２・・・インクジェットヘッド、１０４・・・紫外線光源、１０６・・・平坦化ローラ、１２２・・・単位ヘッド、１５２・・・つなぎ領域、２０２・・・ノズル
【図１】
2020082377.tif 000003
【図２】
2020082377.tif 000004
【図３】
2020082377.tif 000005
【図４】
2020082377.tif 000006
【図５】
2020082377.tif 000007
【図６】
2020082377.tif 000008
【図７】
2020082377.tif 000009